(57)【要約】【課題】本発明は、コンクリート用型枠の安全管理方法に関し、特にスラブ型枠の構築において、型枠の上下における作業者の安全管理を確実にすることが課題である。【解決手段】コンクリート１５打設用の型枠１７を支持する支柱２に、該支柱に掛かる荷重を計測する荷重計測装置３ａを設け、該荷重計測装置には制御部と荷重送信器とが設けられ、前記荷重送信器から発信された信号を受信部で受信する上階警報受信器３ｂを前記型枠の上部のコンクリート打設場所の近傍に配置し、前記支柱２の荷重が所定値を超えると前記制御部によって、前記上階警報受信器３ｂと荷重計測装置３ａとの両方で警報が発せられるようにしたコンクリート用型枠の安全管理方法である。【選択図】図１
2007239254.tif 000002
【特許請求の範囲】
【請求項１】
コンクリート打設用の型枠を支持する支柱に、該支柱に掛かる荷重を計測する荷重計測装置を設け、該荷重計測装置には制御部と荷重送信器とが設けられ、前記荷重送信器から発信された信号を受信部で受信する上階警報受信器を前記型枠の上部のコンクリート打設場所の近傍に配置し、前記支柱の荷重が所定値を超えると前記制御部によって、前記上階警報受信器と荷重計測装置との両方で警報が発せられるようにしたこと、
を特徴とするコンクリート用型枠の安全管理方法。
【請求項２】
支柱の荷重を計測する荷重計測装置と上階警報受信器とからなる安全管理装置であって、
前記荷重計測装置は、前記支柱のベースを位置決めして載せるサポート受け台と、
該サポート受け台の下面に当接して荷重の調整をする調整球座と、
該調整球座の下に当接して設けられる圧力センサーと、
該圧力センサーの下でこれらを支持するベースプレートと、
該ベースプレートの上若しくは近傍に置かれ制御部，駆動電源部，荷重識別標示計及び荷重送信器を装備した荷重標示計とでなり、
前記上階警報受信器は、前記荷重標示計の荷重送信器からの信号を受信する受信部と、  該受信部に接続された制御部と、
該制御部に接続された警報部と、
これら駆動させる駆動電源部と、
これらを支持する筐体とからなること、
を特徴とするコンクリート用型枠の安全管理装置。
【請求項３】
上階警報受信器の警報部には、警報音を発するスピーカーと共に、支柱に掛かる荷重の程度を視覚で段階的に認識させる荷重識別標示計が設けられていること、
を特徴とする請求項２に記載のコンクリート用型枠の安全管理装置。
【請求項４】
上階警報受信器は、打設されるコンクリートの厚さよりも長い脚部を有して型枠の上を移動自在にされ、駆動電源部には太陽パネルが設けられていること、
を特徴とする請求項２または３に記載のコンクリート用型枠の安全管理装置。
【発明の詳細な説明】
【技術分野】
【０００１】
本発明は、コンクリートを打設するための型枠、例えば、スラブ型枠を支える支保工に加わる荷重を管理して、コンクリート打設の際の型枠の変形を防止し、作業者の安全を確保するための、コンクリート用型枠の安全管理方法とその装置に関するものである。
【背景技術】
【０００２】
従来、例えば、スラブの構築において、コンクリート打設用のスラブ型枠を下階の床から支持する支保工は、型枠と打設されるコンクリートとの重量を予め想定して、それにより、パイプサポート（支柱）のピッチを種々設定して、型枠等の崩壊を防止している。
【０００３】
前記支保工の安全管理として、設計時の荷重計算による場合と、更に精度を上げて信頼性を向上させるために直接、支保工の沈下を監視することで安全管理を行っているものが知られている（特許文献１参照）。
【特許文献１】特開平１１−１５３４３１号公報
【発明の開示】
【発明が解決しようとする課題】
【０００４】
しかし、従来のコンクリート用型枠の安全管理方法で、荷重計算による方法では現場でのコンクリート打設時における衝撃荷重，作業者や建築資材等の短期荷重を直接的に把握することができず、現場での安全管理には適さない。
また、前記支保工の沈下を測定する方法では、支柱等の沈下が把握できても、各支柱に掛かる荷重が過負荷になっているかどうかについては把握できない。更に、スラブ等の構築においては、スラブ型枠の上部と下部とで視界が遮られて、互いの作業の様子が把握できないものである。本発明に係るコンクリート用型枠の安全管理方法とその装置は、このような課題を解決するために提案されたものである。
【課題を解決するための手段】
【０００５】
本発明に係るコンクリート用型枠の安全管理方法の上記課題を解決して目的を達成するための要旨は、コンクリート打設用の型枠を支持する支柱に、該支柱に掛かる荷重を計測する荷重計測装置を設け、該荷重計測装置には制御部と荷重送信器とが設けられ、前記荷重送信器から発信された信号を受信部で受信する上階警報受信器を前記型枠の上部のコンクリート打設場所の近傍に配置し、前記支柱の荷重が所定値を超えると前記制御部によって、前記上階警報受信器と荷重計測装置との両方で警報が発せられるようにしたことである。
【０００６】
本発明に係るコンクリート用型枠の安全管理装置の上記課題を解決するための要旨は、支柱の荷重を計測する荷重計測装置と上階警報受信器とからなる安全管理装置であって、前記荷重計測装置は、前記支柱のベースを位置決めして載せるサポート受け台と、該サポート受け台の下面に当接して荷重の調整をする調整球座と、該調整球座の下に当接して設けられる圧力センサーと、該圧力センサーの下でこれらを支持するベースプレートと、
該ベースプレートの上若しくは近傍に置かれ制御部，駆動電源部，荷重識別標示計及び荷重送信器を装備した荷重標示計とでなり、前記上階警報受信器は、前記荷重標示計の荷重送信器からの信号を受信する受信部と、該受信部に接続された制御部と、該制御部に接続された警報部と、これら駆動させる駆動電源部と、これらを支持する筐体とからなることである。
【０００７】
前記上階警報受信器の警報部には、警報音を発するスピーカーと共に、支柱に掛かる荷重の程度を視覚で段階的に認識させる荷重識別標示計が設けられていること、；
また、前記上階警報受信器は、打設されるコンクリートの厚さよりも長い脚部を有して型枠の上を移動自在にされ、駆動電源部には太陽パネルが設けられていること、；
を含むものである。
【発明の効果】
【０００８】
本発明のコンクリート用型枠の安全管理方法とその装置によれば、支柱であるパイプサポートの下に前記荷重計測装置をセットすれば、それで測定が可能となって、手間が掛からず簡単な作業でセットすることができる。また、この荷重計測装置をセットするための余分なスペースも必要なく、狭い工事現場でも簡単に設置場所を確保することができる。
また、前記上階警報受信器があることで、コンクリート用型枠の上で作業する作業者においても、当該型枠を支持する支柱に掛かる荷重の程度を把握することができる。それによって、コンクリートの打設を続けるかどうかの判断の材料となり、危険を予め察知することができる。
スラブ型枠の場合には、荷重の最も掛かる中央部において支柱の荷重を測定することで管理することができる。上階警報受信器の荷重識別標示計は、例えば、十分に安全な場合には青色の標示、注意が必要な場合には黄色の標示、危険な場合には赤色の標示と、段階的に色違いにしておくことで、視覚的に認識できる。コンクリート打設現場では、周囲の工事の雑音が多いので、視覚で訴えることで、判りやすく危険を知らせることができる。
型枠の上にはコンクリートが打設されるので、前記上階警報受信器はコンクリートに埋設されないように軽量にしておくことで、作業者が容易に持ち運べて移動が簡単になる。
また、脚部を長くしておくことで、打設下コンクリートに埋もれることもない。さらに、駆動電源として、太陽パネルを装備させておくことで、電源用に仮設される電工ドラム等から引き回す電気配線が不要となって作業者の歩行の邪魔になることもなく、省エネルギー対策ともなる。
【発明を実施するための最良の形態】
【０００９】
本発明に係るコンクリート用型枠の安全管理方法に係る装置について説明する。この安全管理装置１は、図１乃至図２に示すように、支柱２に掛かる荷重を計測する荷重計測装置３ａと上階警報受信器３ｂとからなる。
【００１０】
前記荷重計測装置３ａには、前記支柱２のベース２ａを位置決めして載せる平板体のサポート受け台４がある。前記ベース２ａは、矩形状の平板体で、その４隅に上下貫通孔が設けられている。その上下貫通孔に、前記サポート受け台４のピン４ａが挿通されて、位置決めされるものである。
【００１１】
前記サポート受け台４の下面に当接して、荷重の調整をする調整球座５がある。この調整球座５は、支柱２に掛かる荷重を後述の圧力センサー６に、変位しないで伝達させるためのものである。前記調整球座４の下に当接して設けられる圧力センサー６がある。該圧力センサー６の下でこれらを支持するベースプレート７がある。
【００１２】
前記ベースプレート７の上、若しくは、近傍に置かれ、制御部（図示せず），駆動電源部（図示せず），荷重識別標示計８及び荷重送信器９でなる警報部１０ａを装備した荷重標示計１０がある。これらから、前記荷重計測装置３ａが構成されている。
【００１３】
また、前記上階警報受信器３ｂは、図１及び図３に示すように、前記荷重標示計３ａの荷重送信器９からの電波による信号を受信する受信部１１と、該受信部１１に接続された制御部（図示せず）と、該制御部に接続された警報部１２と、これら駆動させる駆動電源部１３と、これらを支持する筐体１４とからなる。
【００１４】
上階警報受信器３ｂの警報部１２には、警報音を発するスピーカー１２ｂと共に、支柱２に掛かる荷重の程度を視覚で段階的に認識させる荷重識別標示計１２ａが設けられている。また、上階警報受信器３ｂは、打設されるコンクリート１５の厚さよりも長い脚部１６を有して１７型枠の上を移動自在にされている。なお、この上階警報受信器３ｂの重量が２〜３ｋｇ程度であり、作業者が手で持ち上げて容易に移動できるものであり、ローラなどの特別な移動装置を必要とするものではない。
【００１５】
更に、駆動電源部１３には太陽パネル１３ａが設けられている。前記荷重識別標示計１２ａは消費電力の少ない発光ダイオード等を使用するので、太陽パネル１３ａで十分に電源供給できるものである。よって、工事電源用の電気配線を必要としないものである。
【００１６】
前記荷重識別標示計１２ａは、図３（Ｂ）に示すように、例えば、十分に安全な場合には青色の標示、注意が必要な場合には黄色の標示、危険な場合には赤色の標示と、段階的に色違いにしてある。警報は音による警報も用意するが、これだけでは周囲の騒音によって、作業者が気づかない場合もあり、視覚的に認識できるようにすることで万全を図るものである。なお、下階の荷重識別標示計８も同様に構成されている。
【００１７】
以上のようにして構成されるコンクリート型枠用の安全管理装置１を使用するには、図１に示すように、まず、コンクリート打設用の型枠１７を支持する支柱２のうち、スラブ中央部の支柱２に、荷重計測装置３ａを設けて、床１８に載置する。この支柱２の上側パイプを上にのばして型枠１７下面に当接させ固定する。荷重計測装置３ａの調整球座５の頂部が支柱２の略中心に位置するようにする。
【００１８】
型枠１７の上では、上階警報受信器３ｂをスラブの中心部に設置する。こうして設置した後に、それぞれ駆動させることで、荷重送信器９から発信された信号を受信部１１で受信する上階警報受信器３ａによって、警報部１２の荷重識別標示計１２ａで、安全であれば青色部分が点灯する。
【００１９】
また、コンクリート１５が打接されて、型枠の上に作業者が多数乗り、建築資材等が多量に型枠１７上に載置された場合で、前記支柱２の荷重が所定値を超えると、前記制御部によって、前記上階警報受信器３ｂの警報部１２と荷重計測装置３ａの荷重識別標示計８との両方で警報が発せられる。
【００２０】
この警報により、直ちにオペレータがコンクリート打設作業を一旦中止し、さらに、資材搬入中のクレーン等のオペレータも一旦作業を中止する。そして、型枠１７の変形具合や、支柱２の状態を検証したり、支柱の設置を増やしたりするものである。前記コンクリート１５を打設後に、このコンクリート１５の硬化時の収縮に伴う応力変化や、当該コンクリート１５の上に搬入される資材の荷重等を管理するものである。このようにして、型枠１７の上と下とにおいて、その両方の作業者の安全性が確保されるものである。その後、前記コンクリート用型枠の安全管理装置１は、他の作業区域のスラブに転用されるものである。また、この安全管理装置１は、支柱２の荷重を小スペースで簡易に測定できるので、コンクリート打設用の型枠１７に限らず、パイプ足場等にも適用することができる。
【図面の簡単な説明】
【００２１】
【図１】本発明に係るコンクリート用型枠の安全管理装置１の使用状態を示す説明図である。
【図２】同本発明のコンクリート用型枠の安全管理装置１における荷重計測装置３ａの正面図（Ａ）と、側面図（Ｂ）とである。
【図３】同安全管理装置１の構成概念図（Ａ）と、荷重識別標示計８，１２の具体的な構成を示す説明図（Ｂ）である。
【符号の説明】
【００２２】
１          コンクリート用型枠の安全管理装置、
２          支柱（パイプサポート）、            ２ａ      ベース、    
３ａ        荷重計測装置、                      ３ｂ      上階警報受信器、      ４          サポート受け台、                    ４ａ      ピン、
５          調整球座、 
６          圧力センサー、  
７          ベースプレート、 
８          荷重識別標示計、
９          荷重送信器、                        １０ａ    警報部、
１０        荷重標示計、
１１        受信部、
１２        警報部、                            １２ａ    荷重識別標示計、
１２ｂ      スピーカー、
１３        駆動電源部、                        １３ａ    太陽パネル、
１４        筐体、
１５        コンクリート、
１６        脚部、
１７        型枠、
１８        床。
【図１】
2007239254.tif 000003
【図２】
2007239254.tif 000004
【図３】
2007239254.tif 000005